(57)【要約】【課題】車両用ドアにおける前、後案内レールに対し、ウィンドガラスの組み付け作業が簡単な構成で容易にできるようにする。【解決手段】車両用ドアは、ドア本体２に取り付けられ、ウィンドガラス１４が所定姿勢で昇降するよう案内する前、後案内レール１７，１８を備える。各案内レール１７，１８を、それぞれその長手方向の各部断面がコの字形状となるよう形成して、各凹溝２３の開口が車両の前後方向で互いに対向するよう配置する。ウィンドガラス１４の前、後外縁部をそれぞれ上記各凹溝２３に摺動可能となるよう嵌入する。案内レール１８の底部に、案内レール１８の電着塗装用吊り下げ具３１を掛合させる貫通孔３０を形成する。昇降途中のウィンドガラス１４における外縁部の一部分を貫通孔３０に嵌入可能にすると共に、嵌入状態でウィンドガラス１４が、厚さ方向かつ貫通孔３０の近傍を通る仮想軸心３３回りに回動Ａ，Ｂ可能となるようにする。【選択図】図１
2014162435.tif 000002
【特許請求の範囲】
【請求項１】
昇降可能に下降してドア本体の内部空間に収納されるウィンドガラスと、上下方向に延びて上記内部空間に収容されると共に上記ドア本体に締結具により取り付けられ、上記ウィンドガラスが所定姿勢で昇降するようこのウィンドガラスを案内する前、後案内レールとを備え、これら各案内レールを、それぞれその長手方向の各部断面がコの字形状となるよう形成して、その各凹溝の開口が車両の前後方向で互いに対向するよう配置し、上記ウィンドガラスの前、後外縁部をそれぞれ上記各凹溝に摺動可能となるよう嵌入した車両用ドアにおいて、
上記案内レールの底部に、この案内レールの電着塗装用吊り下げ具を掛合させる貫通孔を形成し、
昇降途中の上記ウィンドガラスにおける上記外縁部の一部分を上記貫通孔に嵌入可能にすると共に、この嵌入状態で上記ウィンドガラスが、その厚さ方向かつ上記貫通孔の近傍を通る仮想軸心回りに回動可能となるようにしたことを特徴とする車両用ドア。
【発明の詳細な説明】
【技術分野】
【０００１】
本発明は、それぞれに形成された凹溝の開口が互いに対向するよう配置された前、後案内レールの案内により、ウィンドガラスが所定姿勢で昇降するようにした車両用ドアに関するものである。
【背景技術】
【０００２】
上記車両用ドアには、従来、下記特許文献１に示されるものがある。この公報のものによれば、ドアは、昇降可能に下降してドア本体の内部空間に収納されるウィンドガラスと、上下方向に延びて上記内部空間に収容されると共に上記ドア本体に締結具により取り付けられ、上記ウィンドガラスが所定姿勢で昇降するようこのウィンドガラスを案内する前、後案内レールと、上記ウィンドガラスを昇降させるウィンドレギュレータとを備える。上記各案内レールは、それぞれその長手方向の各部断面がコの字形状となるよう形成されて、その各凹溝の開口が車両の前後方向で互いに対向するよう配置される。上記ウィンドガラスの前、後外縁部は、それぞれ上記各凹溝にその長手方向に摺動可能となるよう嵌入される。
【０００３】
そして、上記ウィンドレギュレータにより上記ウィンドガラスを上昇させれば、このウィンドガラスにより上記ドア本体の上方に形成されたドアウィンド開口が閉じられる。一方、上記ウィンドレギュレータにより、上記ウィンドガラスを下降させれば、上記ウィンド開口が開かれると共に上記ウィンドガラスはドア本体の内部空間に収納される。
【０００４】
ここで、上記前、後案内レールに対する上記ウィンドガラスの組み付け作業は、このウィンドガラスの前、後外縁部を上記前、後案内レールの各凹溝に、その長手方向に摺動可能となるよう嵌入させる、というものである。
【０００５】
上記の場合、従来の技術では、後案内レールが前後に移動可能とされており、上記ウィンドガラスの組み付け作業に際しては、まず、上記後案内レールを所定位置から後方に移動させて、前、後案内レールの両凹溝の間を拡げ、この間に上記ウィンドガラスを位置させる。次に、上記後案内レールを前方に移動させて所定位置に戻し、この際、上記ウィンドガラスの前、後外縁部と上記前、後案内レールの両凹溝とを嵌合させるようにしている。
【先行技術文献】
【特許文献】
【０００６】
【特許文献１】特開２００４−３０６８８５号公報
【発明の概要】
【発明が解決しようとする課題】
【０００７】
ところで、上記従来の技術では、前、後案内レールに対しウィンドガラスを組み付け可能とするため、上記後案内レールを前後に移動可能となるよう構成している。しかし、これでは、ドアの構成が複雑になると共に、上記前、後案内レールへのウィンドガラスの組み付け作業が煩雑となるおそれがある。しかも、上記ドア本体の内部空間は限りある狭い空間であることから、上記後案内レールを前後移動可能にするための空間を確保することや上記後案内レールの移動作業は容易でない。この結果、上記従来の技術の車両用ドアでは、その生産性が低下し、生産コストが高価になるおそれがあって、好ましくない。
【課題を解決するための手段】
【０００８】
本発明は、上記のような事情に注目してなされたもので、本発明の目的は、車両用ドアにおいて、それぞれに形成された凹溝の開口が互いに対向するよう配置された前、後案内レールに対しウィンドガラスを組み付けるための組み付け作業が、簡単な構成で、より容易にできるようにし、もって、車両用ドアの生産性を、より向上させて、その生産コストを安価にできるようにすることである。
【０００９】
請求項１の発明は、昇降可能に下降してドア本体２の内部空間８に収納されるウィンドガラス１４と、上下方向に延びて上記内部空間８に収容されると共に上記ドア本体２に締結具１６により取り付けられ、上記ウィンドガラス１４が所定姿勢で昇降するようこのウィンドガラス１４を案内する前、後案内レール１７，１８とを備え、これら各案内レール１７，１８を、それぞれその長手方向の各部断面がコの字形状となるよう形成して、その各凹溝２３の開口が車両の前後方向で互いに対向するよう配置し、上記ウィンドガラス１４の前、後外縁部をそれぞれ上記各凹溝２３に摺動可能となるよう嵌入した車両用ドアにおいて、
上記案内レール１８の底部に、この案内レール１８の電着塗装用吊り下げ具３１を掛合させる貫通孔３０を形成し、
昇降途中の上記ウィンドガラス１４における上記外縁部の一部分を上記貫通孔３０に嵌入可能にすると共に、この嵌入状態で上記ウィンドガラス１４が、その厚さ方向かつ上記貫通孔３０の近傍を通る仮想軸心３３回りに回動Ａ，Ｂ可能となるようにしたことを特徴とする車両用ドアである。
【００１０】
なお、この項において、上記各用語に付記した符号や図面番号は、本発明の技術的範囲を後述の「実施例」の項や図面の内容に限定解釈するものではない。
【発明の効果】
【００１１】
本発明による効果は、次の如くである。
【００１２】
請求項１の発明は、昇降可能に下降してドア本体の内部空間に収納されるウィンドガラスと、上下方向に延びて上記内部空間に収容されると共に上記ドア本体に締結具により取り付けられ、上記ウィンドガラスが所定姿勢で昇降するようこのウィンドガラスを案内する前、後案内レールとを備え、これら各案内レールを、それぞれその長手方向の各部断面がコの字形状となるよう形成して、その各凹溝の開口が車両の前後方向で互いに対向するよう配置し、上記ウィンドガラスの前、後外縁部をそれぞれ上記各凹溝に摺動可能となるよう嵌入した車両用ドアにおいて、
上記案内レールの底部に、この案内レールの電着塗装用吊り下げ具を掛合させる貫通孔を形成し、
昇降途中の上記ウィンドガラスにおける上記外縁部の一部分を上記貫通孔に嵌入可能にすると共に、この嵌入状態で上記ウィンドガラスが、その厚さ方向かつ上記貫通孔の近傍を通る仮想軸心回りに回動可能となるようにしている。
【００１３】
このため、上記前、後案内レールに対し上記ウィンドガラスの組み付け作業をする場合には、まず、上記ドア本体の上方で上記ウィンドガラスを縦長の姿勢にさせ、次に、このウィンドガラスをほぼ平行に下方移動させ、上記前、後案内レールの両凹溝の間に位置させる。
【００１４】
次に、上記ウィンドガラスの側面視で、このウィンドガラスを回動させ、このウィンドガラスの一部分を上記貫通孔に嵌入させ、この嵌入状態で、上記ウィンドガラスを上記仮想軸心回りで上方回動させる。これにより、上記ウィンドガラスの前、後外縁部をそれぞれ全体的に上記前、後案内レールの両凹溝に嵌入させて、上記ウィンドガラスを所定姿勢にさせれば、上記ウィンドガラスは上記所定姿勢のままで上記前、後案内レールの両凹溝に案内されて昇降可能とされ、これにより、上記前、後案内レールに対するウィンドガラスの組み付け作業が終る。
【００１５】
そして、上記した前、後案内レールに対するウィンドガラスの組み付け作業は、前記したように、案内レールの電着塗装用吊り下げ具を掛合させる貫通孔を利用して達成されることから、この貫通孔を利用した分、上記ウィンドガラスの組み付け作業は、簡単な構成で、より容易にすることができる。
【００１６】
しかも、上記した前、後案内レールに対するウィンドガラスの組み付け作業は、上記前、後案内レールをドア本体に取り付けたままで、できることから、上記案内レールを移動させる必要があった従来の技術に比べ、簡単な構成で、より容易にすることができる。
【００１７】
よって、車両用ドアの生産性を、より向上させることができて、その生産コストを、より安価にできる。
【図面の簡単な説明】
【００１８】
【図１】ドアの簡略全体側面部分破断図である。
【図２】図１の部分拡大部分断面図である。
【図３】図２のIII−III線矢視断面図である。
【図４】後案内レールの部分斜視図である。
【発明を実施するための形態】
【００１９】
本発明の車両用ドアに関し、それぞれに形成された凹溝の開口が互いに対向するよう配置された前、後案内レールに対しウィンドガラスを組み付けるための組み付け作業が、簡単な構成で、より容易にできるようにし、もって、車両用ドアの生産性を、より向上させて、その生産コストを安価にできるようにする、という目的を実現するため、本発明を実施するための形態は、次の如くである。
【００２０】
即ち、車両用ドアは、昇降可能に下降してドア本体の内部空間に収納されるウィンドガラスと、上下方向に延びて上記内部空間に収容されると共に上記ドア本体に締結具により取り付けられ、上記ウィンドガラスが所定姿勢で昇降するようこのウィンドガラスを案内する前、後案内レールとを備える。これら各案内レールは、それぞれその長手方向の各部断面がコの字形状となるよう形成されて、その各凹溝の開口が車両の前後方向で互いに対向するよう配置される。上記ウィンドガラスの前、後外縁部はそれぞれ上記各凹溝に摺動可能となるよう嵌入される。
【００２１】
上記案内レールの底部に、この案内レールの電着塗装用吊り下げ具を掛合させる貫通孔が形成される。昇降途中の上記ウィンドガラスにおける上記外縁部の一部分が上記貫通孔に嵌入可能にされると共に、この嵌入状態で上記ウィンドガラスが、その厚さ方向かつ上記貫通孔の近傍を通る仮想軸心回りに回動可能とされる。
【実施例】
【００２２】
本発明をより詳細に説明するために、その実施例を添付の図に従って説明する。
【００２３】
図において、符号１は、自動車で例示される車両用のフロントサイドドアで、矢印Ｆｒは、この車両の進行方向の前方を示している。
【００２４】
上記ドア１は、その下部を構成するドア本体２と、このドア本体２に支持されるドアウィンド３とを備えている。
【００２５】
上記ドア本体２は、車両の幅方向で少し離れて対面する板金製のインナ、アウタパネル６，７を備えている。これら両パネル６，７の前、後部外縁部同士及び下部外縁部同士が互いに結合され、これら両パネル６，７の間に偏平な内部空間８が形成される。ドア１のベルトラインに相当する上記ドア本体２の上端縁部において、上記両パネル６，７の上端縁部間にスリット９が形成され、このスリット９を通し、上記内部空間８が上記ドア本体２の上方に向って開放される。
【００２６】
上記ドアウィンド３は、上記ドア本体２に支持され、このドア本体２の上端縁部から上方に向って突設されるウィンドサッシ１２と、上記ドア本体２の上端縁部およびウィンドサッシ１２により囲まれた空間に形成されるウィンド開口１３と、上記内部空間８を通し昇降可能に上昇して、図１中二点鎖線図示のように上記ウィンド開口１３を開閉可能に閉じるウィンドガラス１４とを備えている。このウィンドガラス１４は、上記ウィンド開口１３を閉じた状態から下降して上記ウィンド開口１３を開くと共に、上記内部空間８に収納されるようになっている。
【００２７】
上記ドアウィンド３は、上下方向に互いに平行に延び上記内部空間８に収容されると共に上記ドア本体２のインナパネル６に締結具１６により取り付けられる前、後案内レール１７，１８を備えている。これら各前、後案内レール１７，１８は、それぞれその長手方向の各部断面がコの字形状となるよう形成された板金製のレールフレーム２１と、このレールフレーム２１の内面に全体的に面接触するよう圧入され、その長手方向の各部断面がコの字形状となるよう形成されたゴム製で弾性のガラスラン２２とを有している。
【００２８】
上記前、後案内レール１７，１８は、その各ガラスラン２２の凹溝２３の開口が車両の前後方向で互いに対向するよう配置される。上記ウィンドガラス１４の前、後外縁部がそれぞれ上記前、後案内レール１７，１８の各ガラスラン２２の凹溝２３にその長手方向に沿って摺動可能となるよう嵌入される。そして、この摺動により、上記前、後案内レール１７，１８は、上記ウィンドガラス１４が所定姿勢で昇降するようこのウィンドガラス１４を案内する。このウィンドガラス１４は、上記所定姿勢で、ドア１の前後方向に長い長方形状をなしている。
【００２９】
上記ドアウィンド３は、上記ウィンドガラス１４を昇降させるウィンドレギュレータ２６を備える。このウィンドレギュレータ２６は上記ドア本体２の内部空間８に収容されて上記ドア本体２に支持され、上記ウィンドガラス１４は上記ウィンドレギュレータ２６に締結具２７により取り付けられる。
【００３０】
上記後案内レール１８の長手方向の中途部における底部に貫通孔３０が形成される。この貫通孔３０は、上記後案内レール１８のレールフレーム２１をこれ単独で電着塗装する際に、この電着塗装用の吊り下げ具３１を掛合させるものである。上記貫通孔３０は、上記後案内レール１８の長手方向に長い長方形状とされ、上記後案内レール１８のレールフレーム２１に形成される外側貫通孔３０ａと、ガラスラン２２に形成される内側貫通孔３０ｂとで形成される。この場合、外側貫通孔３０ａの開口縁部よりも内側貫通孔３０ｂの開口縁部の方が、この開口縁部の長手方向の全体にわたり貫通孔３０の中心側に位置している。
【００３１】
上記前、後案内レール１７，１８に案内された上記ウィンドガラス１４の昇降途中において、このウィンドガラス１４をその側面視（図１）で回動させれば、このウィンドガラス１４における後外縁部の一部分１４ａである下端部が上記貫通孔３０に嵌入可能とされる。また、この嵌入状態で、上記ウィンドガラス１４は、その厚さ方向かつ上記貫通孔３０の近傍を通る仮想軸心３３回りに回動Ａ，Ｂ可能とされる。
【００３２】
上記構成によれば、案内レール１８の底部に、この案内レール１８の電着塗装用吊り下げ具３１を掛合させる貫通孔３０を形成し、
昇降途中の上記ウィンドガラス１４における上記外縁部の一部分を上記貫通孔３０に嵌入可能にすると共に、この嵌入状態で上記ウィンドガラス１４が、その厚さ方向かつ上記貫通孔３０の近傍を通る仮想軸心３３回りに回動Ａ，Ｂ可能となるようにしている。
【００３３】
このため、上記ドア本体２の内部空間８に設けられた前、後案内レール１７，１８に対し上記ウィンドガラス１４の組み付け作業をする場合には、まず、図１中一点鎖線で示すように、上記ドア本体２の上方における上記ウィンドサッシ１２に隣接するよう上記ウィンドガラス１４を配置し、かつ、このウィンドガラス１４を縦長の姿勢にさせる。次に、このウィンドガラス１４を、ドア本体２のスリット９を通しほぼ平行に下方移動させ、ドア本体２内の内部空間８で上記前、後案内レール１７，１８の両凹溝２３の間に位置させる。
【００３４】
次に、図１〜３中実線で示すように、上記ウィンドガラス１４の側面視（図１）で、このウィンドガラス１４を回動させ、このウィンドガラス１４の一部分１４ａを上記貫通孔３０に嵌入させる。この際、上記ウィンドガラス１４の一部分１４ａを上記貫通孔３０の開口縁部に仮置きし、もしくは、仮置きすることなく、上記貫通孔３０へのウィンドガラス１４の一部分１４ａの嵌入状態で、このウィンドガラス１４を前記仮想軸心３３回りで上方回動Ａさせる。これにより、上記ウィンドガラス１４の前、後外縁部をそれぞれ全体的に上記前、後案内レール１７，１８の両凹溝２３に嵌入させて、上記ウィンドガラス１４を所定姿勢にさせる。
【００３５】
すると、上記ウィンドガラス１４は上記所定姿勢のままで上記前、後案内レール１７，１８の両凹溝２３に案内されて上昇可能とされ（図１中二点鎖線）、かつ、下降可能とされる。そして、上記ウィンドガラス１４の下端部を上記ウィンドレギュレータ２６に締結具２７により締結させれば、上記前、後案内レール１７，１８に対するウィンドガラス１４の組み付け作業が終る。
【００３６】
なお、上記ウィンドガラス１４をドア本体２の内部空間８に挿入し、この内部空間８で上記ウィンドガラス１４を回動Ａさせて所定姿勢とし、かつ、上記ウィンドレギュレータ２６に締結させる各作業は、上記ドア本体２のインナパネル６に形成された不図示の作業孔を通して行われる。
【００３７】
そして、上記した前、後案内レール１７，１８に対するウィンドガラス１４の組み付け作業は、前記したように、後案内レール１８のレールフレーム２１の電着塗装用吊り下げ具３１を掛合させる貫通孔３０を利用して達成されることから、この貫通孔３０を利用した分、上記ウィンドガラス１４の組み付け作業は、簡単な構成で、より容易にすることができる。
【００３８】
しかも、上記した前、後案内レール１７，１８に対するウィンドガラス１４の組み付け作業は、上記前、後案内レール１７，１８をドア本体２に取り付けたままで、できることから、上記案内レールを移動させる必要があった従来の技術に比べ、簡単な構成で、より容易にすることができる。
【００３９】
よって、車両用ドアの生産性を、より向上させることができて、その生産コストを、より安価にできる。
【００４０】
また、前記したように、前、後案内レール１７，１８は、それぞれ板金製のレールフレーム２１と、このレールフレーム２１に圧入された弾性のガラスラン２２とを有し、上記貫通孔３０の開口縁部のうち、上記レールフレーム２１に形成される開口縁部よりも、上記ガラスラン２２に形成される開口縁部の方が上記貫通孔３０の中心側に位置している。
【００４１】
このため、上記したウィンドガラス１４の組み付け作業において、このウィンドガラス１４の一部分１４ａを上記貫通孔３０に嵌入させて上方回動Ａさせるとき、上記ウィンドガラス１４の一部分１４ａは、上記後案内レール１８の弾性ガラスラン２２における貫通孔３０の開口縁部に接触する一方、板金製のレールフレーム２１における貫通孔３０の開口縁部に接触することは防止される。よって、上記ウィンドガラス１４の組み付け作業において、このウィンドガラス１４の一部分１４ａが上記板金製のレールフレーム２１における貫通孔３０の開口縁部に接触することによって損傷させられることは防止され、その分、上記ウィンドガラス１４の組み付け作業は円滑、かつ、容易にすることができる。
【００４２】
なお、以上は図示の例によるが、上記貫通孔３０と共に、もしくは、これに代えて、上記前案内レール１７に上記貫通孔３０と同作用が生じる貫通孔を形成してもよい。また、上記各構成は車体の後部側壁に設けられるリヤドアに適用してもよい。
【符号の説明】
【００４３】
１    ドア
２    ドア本体
３    ドアウィンド
６    インナパネル
７    アウタパネル
８    内部空間
１３  ウィンド開口
１４  ウィンドガラス
１４ａ  一部分
１６  締結具
１７  前案内レール
１８  案内レール（後案内レール）
２１  レールフレーム
２２  ガラスラン
２３  凹溝
３０  貫通孔
３０ａ  外側貫通孔
３０ｂ  内側貫通孔
３１  吊り下げ具
３３  仮想軸心
Ａ    回動
Ｂ    回動
【図１】
2014162435.tif 000003
【図２】
2014162435.tif 000004
【図３】
2014162435.tif 000005
【図４】
2014162435.tif 000006